(57)【要約】【課題】構造が簡単でありながら、チルトセンサの傾きの最適な調整を容易に行うことができ、長期の信頼性を高く保つ。【解決手段】各板ばね４、５によりチルトセンサホルダ３の球状部３ａ外側の凸状球面３ｅがハウジング１の凹状球面１ａに押圧された状態で、チルトセンサホルダ３がハウジング１に取り付けられている。この状態では、各板ばね４、５によりチルトセンサホルダ３がハウジング１に押圧されているだけであるから、チルトセンサホルダ３の球状部３ａ外側の凸状球面３ｅをハウジング１の凹状球面１ａに沿って摺動させ、チルトセンサホルダ３を回転移動させ、チルトセンサホルダ３の傾きを変えることができる。これによりチルトセンサ２の傾きを調整することができる。【選択図】図２
2007188575.tif 000002
【特許請求の範囲】
【請求項１】
光ディスクの傾斜角を検出するチルトセンサの傾きを調整するためのチルトセンサの傾き調整機構において、
前記チルトセンサを支持するチルトセンサホルダと、
前記チルトセンサホルダを保持するハウジングと、
前記チルトセンサホルダを前記ハウジングに押圧する押圧手段とを備え、
前記チルトセンサホルダは、光ディスクの反射面の１点を同心とする外側凸面及び内側凹面を有し、
前記ハウジングは、前記チルトセンサホルダの外側凸面に嵌り合う凹面を有し、
前記押圧手段は、前記チルトセンサホルダの内側凹面を押圧して、該チルトセンサホルダの外側凸面を前記ハウジングの凹面に押圧することを特徴とするチルトセンサの傾き調整機構。
【請求項２】
前記チルトセンサホルダの外側凸面及び内側凹面が凸状球面及び凹状球面であり、前記チルトセンサが該チルトセンサホルダの凹状球面の内側に支持されていることを特徴とする請求項１に記載のチルトセンサの傾き調整機構。
【請求項３】
前記チルトセンサホルダの外側凸面及び内側凹面が凸状球面及び凹状球面であり、前記押圧手段により該チルトセンサホルダの凹状球面の複数箇所が押圧されて、該チルトセンサホルダの凸状球面が前記ハウジングの凹面に押圧されることを特徴とする請求項１に記載のチルトセンサの傾き調整機構。
【請求項４】
前記チルトセンサホルダの外側凸面は、該外側凸面中央の第１凸状球面と、該第１凸状球面周りの同心円状の第２凸状球面とを含み、
前記ハウジングの凹面は、該凹面中央の第１凹状球面と、該第１凹状球面周りの同心円状の第２凹状球面とを含み、
前記チルトセンサホルダの第１凸状球面と第２凸状球面が前記ハウジングの第１凹状球面と第２凹状球面に嵌り合うことを特徴とする請求項１に記載のチルトセンサの傾き調整機構。
【請求項５】
前記チルトセンサホルダの外側凸面及び内側凹面が凸状球面及び凹状球面であり、前記押圧手段により該チルトセンサホルダの凹状球面の１箇所が押圧されて、該チルトセンサホルダの凸状球面が前記ハウジングの凹面に押圧されることを特徴とする請求項１に記載のチルトセンサの傾き調整機構。
【請求項６】
前記チルトセンサホルダを把持して、該チルトセンサホルダを該チルトセンサホルダの外側凸面及び前記ハウジングの凹面の中心周りに回転移動させ、該チルトセンサの傾きを調整することを特徴とする請求項１に記載のチルトセンサの傾き調整機構。
【請求項７】
請求項１乃至６のいずれかに記載のチルトセンサの傾き調整機構を備えることを特徴とする光ピックアップ装置。
【発明の詳細な説明】
【技術分野】
【０００１】
本発明は、光ディスクの記録及び再生のときに該光ディスクの傾きを検出するチルトセンサを支持する機構に関し、特にチルトセンサの傾きを調整するためのチルトセンサの傾き調整機構、及びそれを備える光ピックアップ装置に関する。
【背景技術】
【０００２】
この種の従来のチルトセンサの傾き調整機構としては、例えば特許文献１に記載のものがある。ここでは、図６に示すようにチルトセンサ１０１をフレキシブルリード基板１０２に搭載し、フレキシブルリード基板１０２をチルトセンサ基台１０３に接着して、チルトセンサ１０１をチルトセンサ基台１０３上に固定している。チルトセンサ基台１０３の底面には、光ディスクＤの反射面の１点を中心とする半径Ｒの曲率面部１０３ａが形成されている。チルトセンサ基台１０３は、この曲率面部１０３ａが光ピックアップ１０５のチルトセンサ載置部１０５ａ上に位置するように配置されて、２個のねじ１０６、１０７及び板ばね１０８によって光ピックアップ１０５に取り付けられている。
【０００３】
一方のねじ１０６によりチルトセンサ基台１０３の一端を押さえ、板ばね１０８によりチルトセンサ基台１０３の他端を弾性的に押さえ付けている。この一方のねじ１０６を回転させると、チルトセンサ基台１０３の底面が支点となって、チルトセンサ基台１０３の他端が昇降し、チルトセンサ基台１０３上面が傾くので、チルトセンサ１０１の傾き調整を行うことができる。
【特許文献１】特開平８−３３５３２７号公報
【発明の開示】
【発明が解決しようとする課題】
【０００４】
しかしながら、特許文献１の機構では、一方のねじ１０６を回転させて、チルトセンサ基台１０３上面を傾けたときに、チルトセンサ基台１０３上面とねじ１０６の頭との接触位置が変位したり、板ばね１０８が変位して、板ばね１０８による押圧力が変化するので、調整後のチルトセンサ基台１０３の傾きの保持状態が安定せず個々の光ピックアップで異なり、長期の信頼性が保たれない。
【０００５】
また、チルトセンサ１０１の傾きの調整方向が一方向のみである。チルトセンサ１０１をチルトセンサ基台１０３に取り付けたときにチルトセンサ１０１の取り付け誤差が発生するだけではなく、チルトセンサ基台１０３を光ピックアップに取り付けたときにも取り付け誤差が発生するので、この取り付け誤差が大きくなる傾向にある。このため、一方向での傾きの調整だけではなく、この一方向と直交する方向での傾きの調整も必要となるが、この様な２方向の最適な調整を行うことができなかった。
【０００６】
そこで、本発明は、上記従来の問題に鑑みてなされたものであり、構造が簡単でありながら、チルトセンサの傾きの最適な調整を容易に行うことができ、長期の信頼性を高く保つことが可能なチルトセンサの傾き調整機構及びそれを備える光ピックアップ装置を提供することを目的とする。
【課題を解決するための手段】
【０００７】
上記課題を解決するために、本発明は、光ディスクの傾斜角を検出するチルトセンサの傾きを調整するためのチルトセンサの傾き調整機構において、前記チルトセンサを支持するチルトセンサホルダと、前記チルトセンサホルダを保持するハウジングと、前記チルトセンサホルダを前記ハウジングに押圧する押圧手段とを備え、前記チルトセンサホルダは、光ディスクの反射面の１点を同心とする外側凸面及び内側凹面を有し、前記ハウジングは、前記チルトセンサホルダの外側凸面に嵌り合う凹面を有し、前記押圧手段は、前記チルトセンサホルダの内側凹面を押圧して、該チルトセンサホルダの外側凸面を前記ハウジングの凹面に押圧している。
【０００８】
この様な本発明によれば、チルトセンサホルダの内側凹面を押圧して、チルトセンサホルダの外側凸面をハウジングの凹面に押圧している。この状態で、チルトセンサホルダの外側凸面をハウジングの凹面に沿って摺動させると、チルトセンサホルダが回転移動して、チルトセンサの傾きが変わる。これによりチルトセンサの傾きを調整することができる。
【０００９】
また、チルトセンサホルダの外側凸面及び内側凹面を光ディスクの反射面の１点を同心とする２つの球面とし、押圧手段により一方の内側凹面を押圧しているので、チルトセンサホルダが回転移動したときには、押圧手段による押圧部位に対してチルトセンサホルダの内側凹面が回転移動するだけであり、この押圧部位が変位せず、押圧の力も変化しない。このため、調整後のチルトセンサの傾きが安定的に維持され、長期の信頼性を高く保つことができる。しかも、構造が簡単である。
【００１０】
こうしてチルトセンサの傾きを調整した後に、チルトセンサホルダとハウジングを接着剤等により相互に固定すれば、より信頼性が高くなる。
【００１１】
また、本発明においては、前記チルトセンサホルダの外側凸面及び内側凹面が凸状球面及び凹状球面であり、前記チルトセンサが該チルトセンサホルダの凹状球面の内側に支持されている。
【００１２】
この場合は、チルトセンサホルダの凸状球面をハウジングの凹面に沿っていずれの方向にも摺動させることができ、チルトセンサの傾きの最適な調整を容易に行うことができる。
【００１３】
また、チルトセンサがチルトセンサホルダの凹状球面の内側に支持されているので、チルトセンサホルダの凸状球面の中心がチルトセンサによる光ディスクの傾きの検出箇所に一致する様に設計すれば、この検出箇所を中心にしてチルトセンサホルダ並びにチルトセンサが回転移動して、チルトセンサの傾きが変わるので、チルトセンサの傾きにかかわらず、チルトセンサと該検出箇所間の距離を一定に維持することができ、チルトセンサの傾き調整がより容易になる。
【００１４】
更に、本発明においては、前記チルトセンサホルダの外側凸面及び内側凹面が凸状球面及び凹状球面であり、前記押圧手段により該チルトセンサホルダの凹状球面の複数箇所が押圧されて、該チルトセンサホルダの凸状球面が前記ハウジングの凹面に押圧されている。
【００１５】
この様にチルトセンサホルダの凹状球面の複数箇所が押圧されている場合は、チルトセンサホルダを常に安定的に支持することができる。例えば、複数の板ばねによりチルトセンサホルダの凹状球面の各箇所を押圧することができる。
【００１６】
また、本発明においては、前記チルトセンサホルダの外側凸面は、該外側凸面中央の第１凸状球面と、該第１凸状球面周りの同心円状の第２凸状球面とを含み、前記ハウジングの凹面は、該凹面中央の第１凹状球面と、該第１凹状球面周りの同心円状の第２凹状球面とを含み、前記チルトセンサホルダの第１凸状球面と第２凸状球面が前記ハウジングの第１凹状球面と第２凹状球面に嵌り合っている。
【００１７】
この場合も、チルトセンサホルダの第１凸状球面をハウジングの第１凹状球面に沿っていずれの方向にも摺動させることができ、同時にチルトセンサホルダの第２凸状球面をハウジングの第２凹状球面に沿っていずれの方向にも摺動させることができるので、チルトセンサの傾きの最適な調整を容易に行うことができる。
【００１８】
また、第１凸状球面と第２凸状球面間に段差が形成され、第１凹状球面と第２凹状球面間に段差が形成されるので、これらの段差によりチルトセンサホルダの回転移動範囲を適宜に規制することができ、かつ押圧手段の押圧によるチルトセンサホルダの保持構造を容易に形成することができる。
【００１９】
更に、本発明においては、前記チルトセンサホルダの外側凸面及び内側凹面が凸状球面及び凹状球面であり、前記押圧手段により該チルトセンサホルダの凹状球面の１箇所が押圧されて、該チルトセンサホルダの凸状球面が前記ハウジングの凹面に押圧されている。
【００２０】
この場合は、押圧手段によりチルトセンサホルダの凹状球面の１箇所が押圧されるだけなので、構造の簡単化とコストの低減を図ることができる。
【００２１】
また、本発明においては、前記チルトセンサホルダを把持して、該チルトセンサホルダを該チルトセンサホルダの外側凸面及び前記ハウジングの凹面の中心周りに回転移動させ、該チルトセンサの傾きを調整している。
【００２２】
これによりチルトセンサの傾きの調整を行うことができる。
【００２３】
一方、他の本発明の光ピックアップ装置は、上記本発明のチルトセンサの傾き調整機構を備えている。
【００２４】
この様な光ピックアップ装置においても、上記本発明のチルトセンサの傾き調整機構と同様の作用並びに効果を達成することができる。
【発明の効果】
【００２５】
この様に本発明によれば、チルトセンサホルダの外側凸面がハウジングの凹面に沿って摺動して、チルトセンサホルダが回転移動し、チルトセンサの傾きが変わる。これによりチルトセンサの傾きを調整することができる。
【００２６】
また、チルトセンサホルダが回転移動しても、押圧手段による押圧部位が変位せず、押圧の力も変化しない。このため、調整後のチルトセンサの傾きが安定的に維持され、長期の信頼性を高く保つことができる。しかも、構造が簡単である。
【００２７】
こうしてチルトセンサの傾きを調整した後に、チルトセンサホルダとハウジングを接着剤等により相互に固定すれば、より信頼性が高くなる。
【００２８】
更に、チルトセンサホルダの外側凸面及び内側凹面を凸状球面及び凹状球面にすれば、チルトセンサホルダの凸状球面をハウジングの凹面に沿っていずれの方向にも摺動させて、チルトセンサの傾きの最適な調整を容易に行うことができる。
【発明を実施するための最良の形態】
【００２９】
以下、本発明の実施形態を添付図面を参照しつつ詳細に説明する。
【００３０】
＜実施形態１＞
図１は、本発明のチルトセンサの傾き調整機構の実施形態１を適用した光ピックアップ装置の一部を示す平面図である。また、図２は、図１の光ピックアップ装置を部分的に破断して示す正面図である。更に、図３は、図１の光ピックアップ装置を部分的に破断して示す側面図である。
【００３１】
この光ピックアップ装置１は、レーザ光を光ディスクＤに出射する半導体レーザ（図示せず）、光ディスクＤで反射されたレーザ光を受光して検出する光検出器（図示せず）等を備えており、このレーザ光により光ディスクＤへの情報の書き込みや読み出しを行う。
【００３２】
この光ディスクＤへの書き込みや読み出しを行うには、レーザ光を光ディスクＤに垂直に入射させる必要がある。このため、光ディスクＤが傾いているときには、この傾きに応じて光ピックアップ装置１そのものを傾斜させて、レーザ光の向きを光ディスクＤに垂直にしている。
【００３３】
従って、光ディスクＤの傾きを検出する必要があり、このために光ピックアップ装置１にチルトセンサ２を搭載している。このチルトセンサ２は、例えば発光ダイオードと、複数分割のフォトダイオードとを備えており、発光ダイオードの光ビームを光ディスクＤに出射し、光ディスクＤで反射された光ビームを複数分割のフォトダイオードで受光する。この複数分割のフォトダイオードの出力差に基づいて光ディスクＤの傾斜角を検出することができる。
【００３４】
光ディスクＤが全く傾いていないときには、複数分割のフォトダイオードの出力差が０に、つまりチルトセンサ２により検出された光ディスクＤの傾斜角が０になっていなければならない。
【００３５】
そこで、この光ピックアップ装置１により全く傾いていない理想状態の光ディスクＤの読取りもしくは書き込みが可能な状態で、チルトセンサ２により光ディスクＤの傾斜角を検出し、この検出された傾斜角が０となる様にチルトセンサ２の傾きを調整し、この傾きでチルトセンサ２を固定する。
【００３６】
本実施形態のチルトセンサ２の傾き調整機構は、その様なチルトセンサ２の傾きを調整するために設けられたものである。
【００３７】
この傾き調整機構は、チルトセンサ２を保持するチルトセンサホルダ３と、チルトセンサホルダ３を保持するハウジング１と、チルトセンサホルダ３をハウジング１に押圧する２つの板ばね４、５とを備えている。
【００３８】
チルトセンサホルダ３は、球状部３ａと、球状部３ａの両側に突設された一対の把持片３ｂとを有している。球状部３ａ内側は、その中央部３ｃが平坦面であり、この中央部３ｃの周囲が凹状球面３ｄとなっている。
【００３９】
チルトセンサホルダ３の球状部３ａ内側の平坦な中央部３ｃにはチルトセンサ２が搭載され、このチルトセンサ２が各把持片３ｂの略中央に位置決めされている。
【００４０】
また、球状部３ａ外側は、凸状球面３ｅとなっている。球状部３ａ内側の凹状球面３ｄと球状部３ａ外側の凸状球面３ｅは、光ディスクの反射面の１点を同心とする２つの球面となっている。
【００４１】
ハウジング１には、凹状球面１ａが形成されており、この凹状球面１ａにチルトセンサホルダ３の凸状球面３ｅが摺動可能に嵌め込まれている。
【００４２】
各板ばね４、５は、それぞれのねじ６によりハウジング１に固定されている。各板ばね４、５の一端は、該各板ばね４、５の弾性力によりチルトセンサホルダ３の球状部３ａ内側の凹状球面３ｄに圧接されて、チルトセンサホルダ３の球状部３ａ外側の凸状球面３ｅをハウジング１の凹状球面１ａに押圧している。
【００４３】
従って、各板ばね４、５によりチルトセンサホルダ３の球状部３ａ外側の凸状球面３ｅがハウジング１の凹状球面１ａに押圧された状態で、チルトセンサホルダ３がハウジング１に取り付けられている。
【００４４】
この状態では、各板ばね４、５によりチルトセンサホルダ３がハウジング１に押圧されているだけであるから、チルトセンサホルダ３の球状部３ａ外側の凸状球面３ｅをハウジング１の凹状球面１ａに沿って摺動させ、チルトセンサホルダ３を回転移動させ、チルトセンサホルダ３の傾きを変えることができる。これによりチルトセンサ２の傾きを調整することができる。
【００４５】
チルトセンサホルダ３の凹状球面３ｄと凸状球面３ｅを光ディスクの反射面の１点を同心とする２つの球面とし、各板ばね４、５により凹状球面３ｄを押圧しているので、チルトセンサホルダ３が回転移動したときには、各板ばね４、５による押圧部位に対して凹状球面３ｄが回転移動するだけであって、これらの押圧部位が変位せず、押圧の力も変化しない。
【００４６】
また、２つの板ばね４、５によりチルトセンサホルダ３がハウジング１に押圧されているので、チルトセンサホルダ３が常に安定的に支持される。
【００４７】
更に、チルトセンサホルダ３の凸状球面３ｅの中心がチルトセンサ２による光ディスクＤの傾きの検出箇所に一致する様に該凸状球面３ｅの半径が設定されている。従って、この光ディスクＤの傾きの検出箇所を中心にしてチルトセンサホルダ３並びにチルトセンサ２が回転移動して、チルトセンサ２の傾きが変わることになる。すなわち、この光ディスクＤの傾きの検出箇所を中心とする円弧状の軌道に沿ってチルトセンサ２が回転移動する。このため、チルトセンサ２の傾きにかかわらず、チルトセンサ２と該検出箇所間の距離を一定に維持することができる。
【００４８】
この様な構成の傾き調整機構において、チルトセンサ２の傾きを調整するには、全く傾いていない理想状態の光ディスクＤをセットした状態で、キャッチャー（図示せず）によりチルトセンサホルダ３の各把持片３ｂを挟み持ち、このキャッチャーによりチルトセンサホルダ３をＬ１軸周り及びＬ２軸周りに回転させて、チルトセンサホルダ３の傾きを変更する。そして、先に述べた様にチルトセンサ２の発光ダイオードの光ビームを光ディスクＤに出射し、光ディスクＤで反射された光ビームをチルトセンサ２の複数分割のフォトダイオードで受光し、この複数分割のフォトダイオードの出力差が０になる様に、チルトセンサホルダ３の傾き調整する。これにより、チルトセンサ２の傾きの最適な調整を行うことができる。
【００４９】
このとき、先に述べた様に光ディスクＤの傾きの検出箇所を中心とする円弧状の軌道に沿ってチルトセンサ２が回転移動するので、チルトセンサ２の傾きにかかわらず、チルトセンサ２と該検出箇所間の距離を一定に維持することができ、チルトセンサ２の傾き調整が容易になる。
【００５０】
また、チルトセンサホルダ３の凹状球面３ｄと凸状球面３ｅを光ディスクの反射面の１点を同心とする２つの球面とし、各板ばね４、５により凹状球面３ｄを押圧しているので、チルトセンサホルダ３が回転移動しても、各板ばね４、５による押圧部位が変位せず、押圧の力も変化しない。このため、調整後のチルトセンサ２の傾きが安定的に維持され、長期の信頼性を高く保つことができる。
【００５１】
こうしてチルトセンサ２の傾きの調整を終了した後に、チルトセンサホルダ３をハウジング１に接着剤等により相互に固定し、長期の信頼性をより高くする。
【００５２】
この様に本実施形態の傾き調整機構では、チルトセンサ２の傾きの最適な調整を容易に行うことができ、調整後のチルトセンサ２の傾きが安定的に維持され、長期の信頼性を高く保つことができる。しかも、構造が簡単である。
【００５３】
＜実施形態２＞
図４は、本発明のチルトセンサの傾き調整機構の実施形態２を部分的に破断して示す正面図である。尚、図４において、図１乃至図３の機構と同様の作用を果たす部位には同じ符号を付している。
【００５４】
本実施形態の傾き調整機構では、図１乃至図３のチルトセンサホルダ３の代わりに、チルトセンサホルダ１１を用いている。チルトセンサホルダ１１は、球状部１１ａと、球状部１１ａの両側に突設された一対の把持片１１ｂとを有している。球状部１１ａ内側は、その中央部１１ｃが平坦面であり、この中央部１１ｃの周囲が凹状球面１１ｄとなっている。
【００５５】
チルトセンサホルダ１１内側の平坦な中央部１１ｃにはチルトセンサ２が搭載され、このチルトセンサ２が各把持片１１ｂの略中央に位置決めされている。
【００５６】
また、球状部１１ａ外側には、中央の第１凸状球面１１ｅと、この第１凸状球面１１ｅ周りの同心円状の第２凸状球面１１ｆとが形成されており、第１凸状球面１１ｅの部位が第２凸状球面１１ｆの部位よりも窪んで、第１及び第２凸状球面１１ｅ、１１ｆ間に段差が形成されている。球状部１１ａ内側の凹状球面１１ｄと外側の第２凸状球面１１ｆは、光ディスクの反射面の１点を同心とする２つの球面となっている。
【００５７】
ハウジング１には、中央の第１凹状球面１ｂと、この第１凹状球面１１ｂ周囲の第２凹状球面１ｃとが形成されており、第１凹状球面１ｂの部位が第２凹状球面１ｃの部位よりも突出して、第１及び第２凹状球面１ｂ、１ｃ間に段差が形成されている。
【００５８】
このハウジング１の第１及び第２凹状球面１ｂ、１ｃにチルトセンサホルダ１１の第１及び第２凸状球面１１ｅ、１１ｆが摺動可能に嵌め入れられている。
【００５９】
各板ばね４、５は、チルトセンサホルダ１１の球状部１１ａ内側の凹状球面１１ｄに圧接されて、チルトセンサホルダ１１の球状部１１ａ外側の第１及び第２凸状球面１１ｅ、１１ｆをハウジング１の第１及び第２凹状球面１ｂ、１ｃに押圧している。
【００６０】
この様な構成においても、チルトセンサホルダ１１の第１及び第２凸状球面１１ｅ、１１ｆをハウジング１の第１及び第２凹状球面１ｂ、１ｃに沿って摺動させて、チルトセンサホルダ１１を回転移動させ、チルトセンサホルダ１１の傾きを変えることができる。これによりチルトセンサ２の傾きの最適な調整を容易に行うことができる。また、球状部１１ａ内側の凹状球面１１ｄと外側の第２凸状球面１１ｆが光ディスクの反射面の１点を同心とする２つの球面であり、各板ばね４、５により凹状球面１１ｄを押圧しているので、調整後のチルトセンサ２の傾きが安定的に維持され、長期の信頼性を高く保つことができる。更に、チルトセンサホルダ１１をハウジング１に接着剤等により相互に固定すれば、長期の信頼性をより高くすることができる。
【００６１】
また、チルトセンサホルダ１１の回転移動の途中で、チルトセンサホルダ１１の第１及び第２凸状球面１１ｅ、１１ｆ間の段差がハウジング１の第１及び第２凹状球面１ｂ、１ｃ間の段差に引っ掛かるので、チルトセンサホルダ１１の回転移動範囲を適宜に規制することができ、かつ各板ばね４、５の押圧によるチルトセンサホルダ１１の保持構造を容易に形成することができる。
【００６２】
＜実施形態３＞
図５は、本発明のチルトセンサの傾き調整機構の実施形態３を部分的に破断して示す正面図である。尚、図５において、図１乃至図３の機構と同様の作用を果たす部位には同じ符号を付している。
【００６３】
本実施形態の傾き調整機構では、図１乃至図３のチルトセンサホルダ３の代わりに、チルトセンサホルダ１２を用いている。チルトセンサホルダ１２は、図２におけるチルトセンサホルダ３の左側部分を省略した形状の球状部１２ａと、球状部１２ａの両側に突設された一対の把持片１２ｂとを有している。球状部１２ａ内側は、その中央部が平坦面であり、この平坦な中央部の周囲が凹状球面となっている。
【００６４】
チルトセンサホルダ１２内側の平坦な中央部にはチルトセンサ２が搭載され、このチルトセンサ２が各把持片１２ｂの略中央に位置決めされている。
【００６５】
また、球状部１２ａ外側は、凸状球面１２ｅとなっている。球状部１２ａ内側の凹状球面と球状部１２ａ外側の凸状球面１２ｅは、相互に平行な面となっている。
【００６６】
ハウジング１には、凹状球面１ａが形成されており、この凹状球面１ａにチルトセンサホルダ１２の凸状球面１２ｅが摺動可能に嵌め込まれている。
【００６７】
また、ここでは、１つの板ばね４のみを用いており、図１及び図２における板ばね５を省略している。この板ばね４の一端は、チルトセンサホルダ１２の球状部１２ａ内側の凹状球面に圧接されて、チルトセンサホルダ１２の球状部１２ａ外側の凸状球面１２ｅをハウジング１の凹状球面１ａに押圧している。
【００６８】
この様な構成においても、チルトセンサホルダ１２の凸状球面１２ｅをハウジング１の凹状球面１ａに沿って摺動させて、チルトセンサホルダ１２を回転移動させ、チルトセンサ２の傾きの最適な調整を行うことができる。また、球状部１２ａ内側の凹状球面と外側の凸状球面１２ｅが相互に平行な面であり、板ばね４により内側の凹状球面を押圧しているので、調整後のチルトセンサ２の傾きが安定的に維持され、長期の信頼性を高く保つことができる。更に、チルトセンサホルダ１２をハウジング１に接着剤等により相互に固定すれば、長期の信頼性をより高くすることができる。
【００６９】
また、１つの板ばね４を用いているので、構造の簡単化とコストの低減を図ることができる。
【００７０】
尚、本発明は、上記各実施形態に限定されるものではなく、多様に変形することができる。例えば、板ばねの個数を３つ以上にしても構わない。また、板ばねとは異なる他の種類の弾性部材を用いても良い。更に、チルトセンサホルダの形状等を適宜に変更することができる。また、チルトセンサホルダ内側の凹状球面及び外側の凸状球面やハウジングの凹状球面の代わりに、他の種類の曲面を適用しても構わない。
【図面の簡単な説明】
【００７１】
【図１】本発明のチルトセンサの傾き調整機構の実施形態１を適用した光ピックアップ装置の一部を示す平面図である。
【図２】図１の光ピックアップ装置を部分的に破断して示す正面図である。
【図３】図１の光ピックアップ装置を部分的に破断して示す側面図である。
【図４】本発明のチルトセンサの傾き調整機構の実施形態２を部分的に破断して示す正面図である。
【図５】本発明のチルトセンサの傾き調整機構の実施形態３を部分的に破断して示す正面図である。
【図６】従来のチルトセンサの傾き調整機構を示す側面図である。
【符号の説明】
【００７２】
１  光ピックアップ装置
２  チルトセンサ
３、１１、１２  チルトセンサホルダ
４、５  板ばね
６  ねじ
Ｄ  光ディスク
【図１】
2007188575.tif 000003
【図２】
2007188575.tif 000004
【図３】
2007188575.tif 000005
【図４】
2007188575.tif 000006
【図５】
2007188575.tif 000007
【図６】
2007188575.tif 000008